(57)【要約】【課題】表示パネルの額縁部の所望位置に正しく接着テープを貼り付けることを可能とし、額縁部の幅寸法を必要最小限に設定することができる接着テープ貼付装置および接着テープ貼付方法を提供することを目的とする。【解決手段】ガラス基板６ａにガラス基板６ｂを重ねた表示パネル６の額縁部６ｃに電子部品接着用の接着テープ１２ａを貼り付ける際の表示パネル６の位置決めにおいて、ガラス基板６ｂの額縁部６ｃ側の側端面６ｄに位置決め基準部材９を当接させて、側端面６ｄが常に一定の基準位置に位置決めされるようにする。これにより、ガラス基板６ｂの切断加工精度のばらつきによって側端面６ｄの市場ばらつく場合においても、側端面６ｄから最小の余裕距離ｄだけ隔てた所望位置に接着テープ１２ａを貼付けることができ、額縁部の幅寸法Ｂを必要最小限に設定して、表示画面のサイズを最大限に確保することができる。【選択図】図３
2005173310.tif 000002
【特許請求の範囲】
【請求項１】
第１の基板の上面に第２の基板を重ね合わせた表示パネルにおいて前記第１の基板の縁部が露呈した額縁部に電子部品接着用の接着テープを貼り付ける接着テープ貼付装置であって、前記表示パネルを前記第１の基板側から保持するパネル保持部と、前記第２の基板の前記額縁部側の側端面に位置決め基準部材を当接させることにより前記パネル保持部に保持された表示パネルを位置決めするパネル位置決め手段と、前記パネル保持部上で位置決めされた表示パネルの額縁部に接着テープを貼付ける接着テープ貼付手段とを備えたことを特徴とする接着テープ貼付装置。
【請求項２】
第１の基板の上面に第２の基板を重ね合わせた表示パネルにおいて前記第１の基板の縁部が露呈した額縁部に電子部品接着用の接着テープを貼り付ける接着テープ貼付方法であって、前記表示パネルを前記第１の基板側から保持するパネル保持工程と、前記第２の基板の前記額縁部側の側端面に位置決め基準部材を当接させることにより前記パネル保持部に保持された表示パネルを位置決めするパネル位置決め工程と、前記パネル保持部上で位置決めされた表示パネルの額縁部に接着テープを貼付ける接着テープ貼付工程とを含むことを特徴とする接着テープ貼付方法。
【発明の詳細な説明】
【技術分野】
【０００１】
本発明は、表示パネルの額縁部に電子部品を接着するための接着テープを貼付ける接着テープ貼付装置および接着テープ貼付方法に関するものである。
【背景技術】
【０００２】
電子機器のディスプレイとして用いられるプラズマパネルや液晶パネルなどの表示パネルは、回路形成側とカラーフィルタ側の２枚のガラス基板を重ね合わせて構成され、回路形成側のガラス基板の縁部が露呈した額縁部には、ドライバ用の電子部品が実装される。この電子部品の実装は、基板の額縁部の上面に形成された端子に、電子部品の下面に形成された端子を異方性導電体などの接着テープを介して圧着することにより行われ、この圧着に先だって額縁部には接着テープが接着テープ貼付装置によって貼り付けられる（例えば特許文献１参照）。この接着テープ貼付作業においては、表示パネルに設けられたマークをカメラで撮像して画像を認識することにより位置決めされた表示パネルに対して、接着テープが貼り付けられる。
【特許文献１】特開２００２−３６８３９４号公報
【発明の開示】
【発明が解決しようとする課題】
【０００３】
表示パネルにおいては表示画面をできるだけ大きく確保するため、額縁部の幅を極力小さくすることが望ましい。このため、額縁部に電子部品を接合するための接着テープをできるだけカラーフィルタ側のガラス基板の側端面に接近させて貼り付けることが求められる。しかしながら、カラーフィルタ側のガラス基板の側端面は切断精度が粗いため、マーク認識によって表示パネルの位置決めを行う従来装置によって接着テープの貼り付けを行う場合には、この切断精度のばらつき分を見込んだ貼付位置を設定せざるを得ず、結果として額縁部の幅寸法を不必要に増大させることとなっていた。
【０００４】
また画像認識を用いて、カラーフィルタ側のガラス基板の側端面の位置を検出する方法も考えられるが、切断面が粗いためその位置を画像認識で的確に検出することは事実上困難である。
【０００５】
そこで本発明は、表示パネルの額縁部の所望位置に正しく接着テープを貼り付けることを可能とし、額縁部の幅寸法を必要最小限に設定することができる接着テープ貼付装置および接着テープ貼付方法を提供することを目的とする。
【課題を解決するための手段】
【０００６】
本発明の接着テープ貼付装置は、第１の基板の上面に第２の基板を重ね合わせた表示パネルにおいて前記第１の基板の縁部が露呈した額縁部に電子部品接着用の接着テープを貼り付ける接着テープ貼付装置であって、前記表示パネルを前記第１の基板側から保持するパネル保持部と、前記第２の基板の前記額縁部側の側端面に位置決め基準部材を当接させることにより前記パネル保持部に保持された表示パネルを位置決めするパネル位置決め手段と、前記パネル保持部上で位置決めされた表示パネルの額縁部に接着テープを貼付ける接着テープ貼付手段とを備えた。
【０００７】
本発明の接着テープ貼付方法は、第１の基板の上面に第２の基板を重ね合わせた表示パネルにおいて前記第１の基板の縁部が露呈した額縁部に電子部品接着用の接着テープを貼り付ける接着テープ貼付方法であって、前記表示パネルを前記第１の基板側から保持するパネル保持工程と、前記第２の基板の前記額縁部側の側端面に位置決め基準部材を当接さ
せることにより前記パネル保持部に保持された表示パネルを位置決めするパネル位置決め工程と、前記パネル保持部上で位置決めされた表示パネルの額縁部に接着テープを貼付ける接着テープ貼付工程とを含む。
【発明の効果】
【０００８】
本発明によれば、第２の基板の額縁部側の側端面に位置決め基準部材を当接させて表示パネルを位置決めすることにより、側端面の切断精度にばらつきがある場合においても、表示パネルの額縁部において第２の基板の側端面に極力近接した所望位置に接着テープを貼付けることを可能とし、額縁部の幅寸法を必要最小限に設定することができる。
【発明を実施するための最良の形態】
【０００９】
次に本発明の実施の形態を図面を参照して説明する。図１は本発明の一実施の形態の接着テープ貼付装置の正面図、図２は本発明の一実施の形態の接着テープ貼付装置の側面図、図３は本発明の一実施の形態の接着テープ貼付装置の平面図、図４は本発明の一実施の形態の接着テープ貼付装置の動作説明図である。
【００１０】
まず、図１，図２、図３を参照して、接着テープ貼付装置の構造を説明する。図２は、図１におけるＡ−Ａ断面を示している。図１，図２において、移動テーブル１はＸ軸テーブル２、Ｙ軸テーブル３より成り、Ｙ軸テーブル３の上面には接着テープ貼付対象の表示パネル６を保持して位置決めするパネル位置決め保持機構４が設けられている。図２に示すように、表示パネル６は回路形成側のガラス基板６ａ（第１の基板）上にカラーフィルタ側のガラス基板６ｂ（第２の基板）を重ね合わせた構成となっている。ガラス基板６ａの縁部には、外部接続用の電極群が形成されており、この縁部（額縁部６ｃ）を露呈させた状態でガラス基板６ｂが重なっている。パネル位置決め保持機構４は、表示パネル６をガラス基板６ａ側から吸着溝５ａによって吸着保持するパネル保持部５と、パネル保持部５に保持された表示パネル６を位置決めするパネル位置決め手段を備えている。
【００１１】
表示パネル６においてガラス基板６ａの縁部が露呈した額縁部６ｃには、ドライバ用半導体チップなどの電子部品を接着するための接着テープ１２ａが、パネル位置決め保持機構４の上方に配設されたテープ貼付機構１０によって貼り付けられる。接着テープ１２ａはベーステープ１２ｂに貼着された積層テープ１２の形態で供給され、切り欠き形成部１３によって定寸毎に切断された接着テープ１２ａは、ガイドローラ１４によってガイドされて額縁部６ｃの直上に位置する貼付ツール１１の下方に導かれる。
【００１２】
そしてこの状態で貼付ツール１１をツール昇降機構（図示省略）により昇降させることにより、接着テープ１２ａは額縁部６ｃに貼り付けられ、接着テープ１２ａがはぎ取られた後のベーステープ１２ｂはガイドローラ１４に導かれて回収される。テープ貼付機構１０は、パネル保持部５上で位置決めされた表示パネル６の額縁部６ｃに接着テープ１２ａを貼付ける接着テープ貼付手段となっている。
【００１３】
次に、図３を参照して、パネル保持部５に保持された表示パネル６を位置決めするパネル位置決め手段について説明する。図３に示すように、パネル位置決め手段は、パネル保持部５に保持された表示パネル６を４方向から押しつけてセンタリングすることにより、正規位置に位置決めするようになっている。すなわち、パネル位置決め手段は、Ｘ位置決め部材７ａをＸ位置決め駆動部７によって表示パネル６の側端面に押し当ててＸ方向のセンタリングを行うＸ位置決め機構（図１も参照）と、Ｙ位置決め部材８ａおよび位置決め基準部材９をＹ位置決め駆動部８によって表示パネル６に押し当ててＹ方向の位置決めを行うＹ位置決め機構（図２も参照）より構成される。
【００１４】
位置決め基準部材９は両端部９ａが延出したコ字形状となっており、図２に示すように
、両端部９ａがガラス基板６ｂの額縁部６ｃ側の側端面６ｄに当接する高さに配置されている。すなわち、パネル位置決め手段は、第２の基板の額縁部６ｃ側の側端面６ｄに位置決め基準部材９を当接させることにより、パネル保持部５に保持された表示パネル６を位置決めする。
【００１５】
ここで、Ｘ方向に長い形状の位置決め基準部材９を表示パネル６に押し付ける際に、両端部９ａのみを当接させることにより、側端面６ｄの切断面が不揃いで直線性が保たれていない場合においても、がたつきを生じることなく安定して位置決め基準部材９を当接させることができる。また位置決め基準部材９を側端面６ｄに当接させると、側端面６ｄから微小なガラス片が額縁部６ｃ上に落下するおそれがあるが、コ字形状の両端部９ａのみ当接させるので、その間に位置する電極群上にガラス片が落下する心配がない。
【００１６】
図３（ｂ）に示すように、Ｘ位置決め駆動部７を駆動することにより、Ｘ位置決め部材７ａが中心方向に移動して表示パネル６をＸ方向の両側から挟み込み、これにより表示パネル６はＸ方向の中心が所定のセンタリング位置に合致するように位置決めされる。またＹ位置決め駆動部８を駆動することにより、Ｙ位置決め部材８ａおよび位置決め基準部材９はともにＹ方向に中心に向かって移動する。
【００１７】
このとき、位置決め基準部材９は両端部９ａの先端部が予め設定された基準位置に到達する位置で停止する。そしてこの状態で、Ｙ位置決め部材８ａが反対面側から表示パネル６を中心側に押しつけることにより、側端面６ｄが位置決め基準部材９に当接した基準位置で表示パネル６は位置決めされる。したがって表示パネルの位置決めにおいて、位置決め用の認識マークや表示パネルの外形（ガラス基板６ａの端面）を基準に用いていた従来の接着テープ貼付装置において生じていた側端面６ｄの位置のばらつき、すなわちガラス基板６ｂの切断加工精度のばらつきに起因する側端面６ｄの位置のばらつきを生じることなく、表示パネル６をパネル保持部５上で位置決めすることができる。
【００１８】
次に図４を参照して、ガラス基板６ａの上面にガラス基板６ｂを重ね合わせた表示パネル６において、額縁部６ｃに電子部品接着用の接着テープ１２ａを貼り付ける接着テープ貼付方法について説明する。まず表示パネル６をパネル保持部５上に載置して表示パネル６をガラス基板６ａ側から保持する（パネル保持工程）。そして、ガラス基板６ｂの額縁部６ｃ側の側端面６ｄに位置決め基準部材６を当接させることにより、パネル保持部５に保持された表示パネル６を位置決めする（パネル位置決め工程）。
【００１９】
すなわち、図４（ａ）に示すように、常に同一の基準位置に停止した両端部９ａに対して、ガラス基板６ｂの額縁部６ｃ側の側端面６ｄを当接させる。これにより、パネル位置決め動作において、側端面６ｄの位置は常に予め設定された基準位置に保たれる。そしてこの状態で、吸着溝５ａから真空吸引することにより、表示パネル６はパネル保持部５に位置決め状態で吸着固定される。
【００２０】
この後、パネル保持部５上で位置決めされた表示パネル６の額縁部６ｃに、接着テープ１２ａを貼付ける（接着テープ貼付工程）。すなわち、図４（ｂ）に示すように、位置決め基準部材９を退避させた後、額縁部６ｃに対して貼付ツール１１を下降させ、接着テープ１２ａを額縁部６ｃにおいて露呈状態のガラス基板６ａの上面に貼り付ける。
【００２１】
このとき、側端面６ｄの位置は前述のパネル位置決め動作において常に同一位置に位置決めされていることから、接着テープ１２ａを側端面６ｄから極小の余裕距離ｄだけ隔てた位置に貼り付けることができる。したがって、ガラス基板６ｂの切断加工精度のばらつきを見込んで、大きな余裕距離を設定する必要があった従来方法と比較して、額縁部６ｃの幅寸法Ｂを極力狭くすることができる。
【００２２】
これにより、製造過程におけるガラス基板６ｂの切断加工精度の寸法ばらつきをカバーすることを目的として、額縁部６ｃの幅寸法Ｂを必要以上に大きくする必要がなく、表示パネル６の額縁部６ｃ以外の表示画面部分のサイズを最大限に確保することが可能となる。
【産業上の利用可能性】
【００２３】
本発明の接着テープの貼付装置および貼付方法は、側端面の切断精度にばらつきがある場合においても、表示パネルの額縁部において第２の基板の側端面に極力近接した所望位置に接着テープを貼付けることを可能とし、額縁部の幅寸法を必要最小限に設定することができるという効果を有し、表示パネルの額縁部にドライバ用の電子部品を接着するための接着テープを貼付ける接着テープ貼付の分野に有用である。
【図面の簡単な説明】
【００２４】
【図１】本発明の一実施の形態の接着テープ貼付装置の正面図
【図２】本発明の一実施の形態の接着テープ貼付装置の側面図
【図３】本発明の一実施の形態の接着テープ貼付装置の平面図
【図４】本発明の一実施の形態の接着テープ貼付装置の動作説明図
【符号の説明】
【００２５】
１  移動テーブル
４  パネル位置決め保持機構
５  パネル保持部
６  表示パネル
６ａ、６ｂ  ガラス基板
６ｃ  額縁部
６ｄ  側端面
７  Ｘ位置決め駆動部
８  Ｙ位置決め駆動部
９  位置決め基準部材
１０  テープ貼付機構
１１  貼付ツール
１２ａ  接着テープ
【図１】
2005173310.tif 000003
【図２】
2005173310.tif 000004
【図３】
2005173310.tif 000005
【図４】
2005173310.tif 000006